(57)【特許請求の範囲】
【請求項１】
個別情報を有するカードに転写箔情報が記録された転写箔の必要部分を転写してカードを発行するカード発行処理方法であって、支持体上に光回折構造形成層、光反射層及び接着層がこの順で積層されてなる光回折構造転写箔にレーザ光を照射して、前記光反射層の一部を破壊することにより前記転写箔情報を記録した後、前記支持体側から、転写装置の熱ローラにより、前記接着層を前記カードに押し付けることにより、前記支持体から前記光回折構造形成層、光反射層を剥離して、前記転写箔の必要部分として、前記カードに転写するとき、前記転写箔の必要部分をカードに転写する前に、光センサにより前記転写箔情報を読み取り、読み取り後、且つ、前記転写前に、その転写箔情報の少なくとも一部及び該転写箔情報に関連付けられた情報の少なくとも一方からなる必要情報を前記カードに磁気記録することを特徴とするカード発行処理方法。
【請求項２】
カードに転写箔の必要部分を、熱ローラにより押し付けて加熱転写する転写装置と、この転写装置により前記カードに転写される前の前記転写箔から、これに記録されている転写箔情報を読み取る光センサと、この光センサにより読み取った転写箔情報の少なくとも一部及び該転写箔情報に関連付けられた情報の少なくとも一方を、前記転写装置による転写箔の転写前に、前記カードに記録する磁気記録装置と、を有してなり、前記転写箔は支持体上に光回折構造形成層、光反射層及び接着層がこの順で積層されてなる光回折構造転写箔にレーザ光を照射して、前記光反射層の一部を破壊することにより、前記転写箔情報を記録して構成され、前記転写装置は、前記接着層を、前記熱ローラによって前記カードに押し付けることにより、前記支持体から前記光回折構造形成層、光反射層を剥離して前記カードに接着するように構成されたことを特徴とするカード発行処理装置。
【発明の詳細な説明】
【０００１】
【発明の属する技術分野】
この発明はクレジットカード、身分証明書、プリペードカード、ＩＣカード、商品券等の、限定情報、個別情報を有するカードの発行処理方法及び装置に関する。
【０００２】
【従来の技術】
上記のような、個人情報を有するカードあるいは信用情報を有するカードには、その偽造・変造による不正使用を防止するため、ホログラム箔に代表される偽造困難なセキュリティ部材を転写してその真正性を表現しているものがある。
【０００３】
【発明が解決しようとする課題】
しかしながら、従来は、上記のようなホログラム箔を含む転写箔は量産されるのが一般的であって、同一種類のカードには同一の絵柄を有する転写箔が転写されているため、この転写箔さえ入手あるいは偽造できれば、容易にカードを偽造・変造できるという危険があった。
【０００４】
この発明は上記従来の問題点に鑑みてなされたものであって、容易に偽造・変造されることがないカード発行処理方法及び装置を提供することを目的とする。
【０００５】
【課題を解決するための手段】
本発明者は、先に、特開２０００−４７５５６号公報に開示するように、予め個別情報を記録することができるホログラム箔等の光回折構造を有する物品の製造方法を提案した。
【０００６】
本発明は、上記のように、予め個別情報（転写箔情報）を記録した転写箔をカードに転写する際に、前記転写箔情報のうち必要な情報をそのカードに記録することによって、カード毎に異なる転写箔情報が記録されるようにして、偽造・変造を防止している。
【０００７】
即ち、本方法発明は、個別情報を有するカードに転写箔情報が記録された転写箔の必要部分を転写してカードを発行するカード発行処理方法であって、支持体上に光回折構造形成層、光反射層及び接着層がこの順で積層されてなる光回折構造転写箔にレーザ光を照射して、前記光反射層の一部を破壊することにより前記転写箔情報を記録した後、前記支持体側から、転写装置の熱ローラにより、前記接着層を前記カードに押し付けることにより、前記支持体から前記光回折構造形成層、光反射層を剥離して、前記転写箔の必要部分として、前記カードに転写するとき、前記転写箔の必要部分をカードに転写する前に、光センサにより前記転写箔情報を読み取り、読み取り後、且つ、前記転写前に、その転写箔情報の少なくとも一部及び該転写箔情報に関連付けられた情報の少なくとも一方からなる必要情報を前記カードに磁気記録することを特徴とするカード発行処理方法により上記目的を達成するものである。
【００１３】
カード発行処理装置の発明は、  カードに転写箔の必要部分を、熱ローラにより押し付けて加熱転写する転写装置と、この転写装置により前記カードに転写される前の前記転写箔から、これに記録されている転写箔情報を読み取る光センサと、この光センサにより読み取った転写箔情報の少なくとも一部及び該転写箔情報に関連付けられた情報の少なくとも一方を、前記転写装置による転写箔の転写前に、前記カードに記録する磁気記録装置と、を有してなり、前記転写箔は支持体上に光回折構造形成層、光反射層及び接着層がこの順で積層されてなる光回折構造転写箔にレーザ光を照射して、前記光反射層の一部を破壊することにより、前記転写箔情報を記録して構成され、前記転写装置は、前記接着層を、前記熱ローラによって前記カードに押し付けることにより、前記支持体から前記光回折構造形成層、光反射層を剥離して前記カードに接着するように構成されたことを特徴とするカード発行処理装置により上記目的を達成するものである。
【００１９】
【発明の実施の形態】
以下本発明の実施の形態の例を図面を参照して詳細に説明する。
【００２０】
図１に示されるように、本発明の実施の形態の例に係るカード発行処理装置１０は、カード１２に転写箔１４の必要部分を転写する転写装置１６と、この転写装置１６により前記カード１２に転写される前の転写箔１４から、これに記録されている転写箔情報を読み取る光センサ１８と、この光センサ１８により読み取った情報のうち必要部分を、前記転写装置１６による転写箔１４の、カード１２への転写前に、該カード１２に磁気記録する磁気ヘッド２２と、を備えて構成されている。
【００２１】
図１の符号１７は、転写装置１６の熱ローラを示し、この熱ローラ１７は、搬送ベッド２４上のカード１２に、転写箔１４の必要部分を押し付けて、加熱転写させるものである。
【００２２】
又、前記光センサ１８で読み取られた転写箔情報は、制御装置２０を介して磁気ヘッド２２に出力されるように構成されている。
【００２３】
前記転写箔１４は、例えば、前述の特開２０００−４７５５６号広報に開示されるような、光回折構造を有する物品の製造方法によって予め必要な転写箔情報が記録されている。
【００２４】
これを詳細に説明すると、図２に示されるように、転写箔１４は、剥離性樹脂層２８を介してＰＥＴ（ポリエチレンテレスタレート）フィルム等の支持体３０上に積層されていて、支持体３０に対して反対側の接着層３２を、前記カード１２側として、熱ローラ１７により支持体３０側から押し付けることによって、前記剥離性樹脂層２８の図において裏側の剥離界面２９から剥離され、カード１２側に転写される構造となっている。
【００２５】
又、転写箔１４は、前記剥離性樹脂層２８側から、電離放射線硬化型樹脂等からなる保護層、ホログラム又は回折光子を形成してなる光回折構造形成層３６、金、銀、アルミニウム等の薄膜からなる光反射層３８，前記接着層３２をこの順で積層して構成されている。前記光回折構造形成層３６内には、例えばホログラムレリーフ３７が設けられている。
【００２６】
前記接着層３２は光透過性であって、レーザ発振器４０からのレーザビーム４２を対物レンズ４４によって前記光反射層３８の位置に集光して、これを破壊することにより、転写箔情報が記録されるようになっている。
【００２７】
このような転写箔情報記録のためのレーザマーキング装置５０は、図３に示されるように、マーキング用レーザビームを出射する前記レーザ発振器４０と、マーキング対象物として前記支持体３０に積層された転写箔１４を一定方向に搬送する搬送ユニット５６と、この搬送ユニット５６に対しては定位置で回転自在に設けられ、前記レーザ発振器４０から出射されるレーザビーム４２を、前記搬送ユニット５６により搬送される前記転写箔１４の方向に反射して、その搬送方向と直交する方向に前記転写箔１４を走査する多面鏡５８と、前記転写箔１４の搬送状態及び前記多面鏡５８の回転状態に同期して、前記レーザビームを変調する制御装置６０とを含んで構成されている。
【００２８】
前記多面鏡５８は、例えばポリゴンミラーからなり、モータ（図示省略）を含む多面鏡駆動装置６４により図１において紙面と平行な面内で回転駆動されるようになっている。
【００２９】
前記レーザ発振器４０から前記多面鏡５８に至るレーザビーム４２の光路上には、レーザ発振器４０側からレーザ変調器６６と、ハーフミラー６８と、ビームエキスパンダ７０とがこの順で配置されている。
【００３０】
前記レーザ変調器６６は、前記制御装置６０により例えばレーザビームの強度変調を行うように制御されるものである。
【００３１】
前記ハーフミラー６８の側方には、検知用レーザビームを出射する半導体レーザ７２が配置され、ハーフミラー６８から前記レーザ発振器４０と多面鏡６８との間のレーザビームの光路中に検知用レーザビームを出射するようにされている。
【００３２】
この半導体レーザ７２からの検知用レーザビームが前記多面鏡６８によって反射されたときの反射光が入射する範囲で、特に、Ｆ−θレンズ７６（後述）における走査方向一方の限界付近を通る位置にはレーザ検知器７４が配置されている。
【００３３】
このレーザ検知器７４による検知用レーザビームの検出信号は、前記制御装置６０に出力するようにされている。
【００３４】
この制御装置６０は、レーザ検知器７４からの検知信号に基づいて、前記レーザ変調器６６を変調するようにされている。
【００３５】
前記多面鏡５８と搬送ユニット５６との間の、多面鏡５８により反射されたレーザビームの反射光の光路上には、前記Ｆ−θレンズ７６が配置されている。
【００３６】
前記搬送ユニット５６は、巻き取りシート状のマーキング対象物（支持体３０と転写箔１４）を巻き出して供給する供給部５６Ａと、巻き出されたマーキング対象物を巻き取る巻き取り部５６Ｂとを含んで構成され、図４に示されるように、シート状のマーキング対象物を下方に一定速度で搬送するようにされている。
【００３７】
これに対して、前記多面鏡５８は、反射されたレーザビームを、前記搬送ユニット５６におけるマーキング対象物の搬送方向と直交する方向に走査するように設けられている。
【００３８】
次に、前記レーザマーキング装置５０により転写箔１４にマーキングする過程について説明する。
【００３９】
まず、搬送ユニット５６にマーキング対象物である巻き取り形態の転写箔１４（支持体３０に積層されている）を取付ける。搬送ユニット５６を稼働し、マーキング対象物を、図４において下方に一定速度で搬送する。
【００４０】
次に、多面鏡５８を多面鏡駆動装置６４によって一定速度で回転させ、レーザ発振器４０を駆動して、レーザビームを放出させる。この段階では、レーザ変調器６６によってレーザビームは遮断されている。
【００４１】
一方、半導体レーザ７２を駆動して、検知用レーザビームを出射させる。検知用レーザビームは、ハーフミラー６８において反射されて多面鏡５８に到達し、ここで反射されてＦ−θレンズ７６を通って、該多面鏡５８の回転に同期して、前記レーザ検知器７４に到達する。レーザ検知器７４は、反射された検知用レーザビームが入力する都度前記制御装置６０に検出信号を出力する。
【００４２】
制御装置６０は、この検出信号に同期した、即ち、多面鏡５８の回転に同期したタイミングでマーキングすべきデータに応じた、多面鏡５８の走査の１ライン分のパルス信号をレーザ変調器６６に出力する。
【００４３】
レーザ変調器６６は、制御装置６０から入力する信号に応じて、レーザビームの強度を変調し、前記多面鏡５８による１回の走査分、即ち１ライン分のマーキングが行われることになる。
【００４４】
上記の動作を、レーザ検知器７４が信号を検知する毎に繰り返すことによって、マーキング対象物上には所定のマーキングがなされる。
【００４５】
前記搬送ユニット５６により、マーキング対象物を多面鏡５８によるレーザビームの１回の走査毎に、該走査方向と直交する方向に送り、且つ、１回の走査毎にその全部又は一部で、レーザビームの強度を変調することによって、マーキング対象物（転写箔１４）上に所定の絵又は文字を形成することができる。例えば図５に示されるようなレーザマークの絵柄を有する転写箔１４Ａを形成することができる。ここではマーキングライン７５は、その始端７５Ａ、終端７５Ｂが太くなることがなく、均一な細密線とすることができる。
【００４６】
上記のように、予め必要な転写箔情報をレーザビーム４２によって、光反射層３８を破壊することにより記録された転写箔１４を、前述のように、転写装置１６によって支持体３０から剥離してカード１２に転写する。
【００４７】
この時、前記光センサ１８によって、転写前の転写箔１４から、これに記録されている転写箔情報のうち必要部分を読み取り、あるいはすべての転写箔情報を読み取る。
【００４８】
これら光センサ１８によって読み取られた転写箔情報の全部又は一部は制御装置２０に取り込まれ、制御装置２０は、必要な転写箔情報を磁気ヘッド２２に出力して、前記転写装置１６によって転写箔１４を転写する前のカード１２に磁気記録する。このとき、転写箔情報に関連付けられた情報が同時に、又は、転写箔情報の全部又は一部に代えて磁気記録されることもある。
【００４９】
例えば、転写箔には個人を識別するＩＤナンバーのみが記録されていて、カード発行処理装置では、その情報から個人の氏名、有効期限等の転写箔関連情報が付与される。ここでは、転写箔情報の少なくとも一部及び転写箔に関連する情報の少なくとも一方であってカードに記録されるべき情報を必要情報とする。
【００５０】
次に、転写箔１４をカード１２に転写することにより、図８に示されるような転写箔添付カード１２Ａが完成する。
【００５１】
従って、転写装置１６によって転写箔１４が転写されたカード１２は、予め転写箔１４に記録されている転写箔情報のうち必要部分や、転写箔関連情報である必要情報が磁気記録されているので、後に、転写箔の外観とカード１２に記録されている転写箔情報等とを参照することによって、カード１２の真贋をチェックすることができる。
【００５２】
図１のカード発行処理装置１０は、カード１２に転写箔１４を転写する前に、転写箔情報をカード１２に記録するようにしたものであるが、本発明はこれに限定されるものでなく、図６に示されるカード発行処理装置１０Ａのように、読み取った転写箔情報を、転写箔１４を転写した後のカード１２に磁気記録するようにしてもよい。
【００５３】
このカード発行処理装置１０Ａについて詳細に説明すると、磁気ヘッド２２は、転写装置１６の下流側に設けられていて、転写装置１６によりカード１２に転写箔１４を転写する際に、図１の場合と同様に、光センサ１８により転写箔情報を読み取って、これを制御装置２０を介して、転写箔１４の転写後のカード１２に、磁気ヘッド２２により必要な転写箔情報を記録するものである。
【００５４】
又、図７に示されるカード発行処理装置１０Ｂのように、カード１２に転写箔１４を転写した後、このカード１２上の転写箔１４の転写箔情報を読み取って、そのカード１２に記録するようにしてもよい。
【００５５】
図７のカード発行処理装置１０Ｂは、転写装置１６の下流側に光センサ１８及び磁気ヘッド２２をこの順で配置し、転写装置１６によって転写箔１４が転写された後のカード１２から、該転写箔１４の情報を光センサ１８によって読み取り、これを、その下流域で、磁気ヘッド２２により、カード１２に磁気記録するものである。
【００５６】
なお上記実施の形態の例において、転写箔１４は、図２に示されるような、特開平２０００−４７５５６号公報で提案されたものであるが、本発明はこれに限定されるものでなく、他の構造の転写箔であってもよい。
【００５７】
即ち、金属転写箔、前述のような金属反射層を有するホログラム転写箔、剥離紙あるいは剥離フィルム上に粘着材を介して形成されているラベルシール等であってもよい。
【００５８】
更に、転写箔に記録されている情報としては、絵柄、文字、記号、バーコード等、又顔写真、手書きサイン等の情報であり、これらの形態により、日付、シリアルナンバー、所有者の氏名、その他の情報をそのままあるいは記号化、暗号化したデータを保有するなどして記録させる。
【００５９】
情報の記録方法としては、転写箔によって異なるが、前述のような金属層を有する転写箔においては、その金属層にレーザ等を用いてマーキングを施すことにより情報を記録することができる。
【００６０】
又、レーザーマーキングの場合、前記のようにレーザマーキング装置５０に限定されるものでなく、他のレーザマーキング装置であってもよい。但し、レーザマーキング装置５０による場合は、マーキングラインの両端に太径部が発生しないので、均一な線幅で、細密なマーキングをすることができる。
【００６１】
更に又、転写箔が磁性材料であれば、その磁気の配向状態により記録し、転写箔が光学的な特性を有する材料であれば、その反射率、散乱状態、屈折率分布、複屈折率分布、反射光の波長分布、反射光の偏光状態等によって記録することができる。
【００６２】
更に、上記実施の形態の例において、転写装置１６は熱ローラ１７により転写箔１４をカード１２に転写するようにしているが、本発明はこれに限定されるものでなく、熱転写の場合は熱ローラのほかに加熱された金属金型を転写箔に圧着させる方法、サーマルヘッドにより熱転写を行う方法がある。又、転写箔がラベルシール形態であれば、剥離基剤（例えば前述の支持体３０）から転写箔部分を剥離し、カード１２に張り付けすることによって転写するようにしてもよい。
【００６３】
更に又、カード１２は、前述のように、クレジットカード、身分証明書、プリペードカード等の各種カード、商品券、株券、証書等の証券類等であって、特に限定されるものではないが、個別情報を有するものであればよい。
【００６４】
又、カード１２の素材としては、塩化ビニル樹脂、ポリエステル樹脂などのプラスチック、紙、金属等でもよい。
【００６５】
更に、前記のように転写箔情報を磁気ヘッド２２によってカード１２に磁気記録しているが、本発明はこれに限定されるものでなく、熱転写プリンタ、インクジェットプリンタ等によるカードへの印字、エンボス加工機等による凹凸加工によって記録するようにしてもよい。
【００６６】
又、電気的なメモリ素子、ＩＣ素子等を有するカードであれば、電気的な信号としてカードに記録することができ、その他には、感熱記録部、金属層を有する部材であれば、サーマルヘッド、レーザなどにより記録するようにしてもよい。
【００６７】
【発明の効果】
本発明は上記のように構成したので、個別情報を有するカードに転写される転写箔の個別の転写箔情報の全部又は一部等の必要情報を、カードに記録することによって、転写箔に表示される情報とカードに記録された必要情報とを参照することができ、これによってカードの真贋を容易に判定することができるという優れた効果を有する。
【図面の簡単な説明】
【図１】本発明の実施の形態の第１例に係るカード発行処理装置を示す略視側面図
【図２】同カード発行処理装置に用いる転写箔の構造及び転写箔情報記録過程を示す略視拡大断面図
【図３】転写箔への転写箔情報の記録に用いるレーザマーキング装置を示すブロック図
【図４】同レーザマーキング装置における多面鏡と搬送ユニットを示す略示側面図
【図５】同レーザマーキング装置によってレーザマーキングされた転写箔の要部を示す平面図
【図６】本発明の実施の形態の第２例に係るカード発行処理装置を示す略視側面図
【図７】同実施の形態の第３例に係るカード発行処理装置を示す略視側面図
【図８】本発明のカード発行処理方法によって作製された転写箔添付カードを示す斜視図
【符号の説明】
１０、１０Ａ、１０Ｂ…カード発行処理装置
１２…カード
１２Ａ…転写箔添付カード
１４…転写箔
１６…転写装置
１７…熱ローラ
１８…光センサ
２０…制御装置
２２…磁気ヘッド
２４…搬送ベッド
２８…剥離性樹脂層
３０…支持体
３２…接着層
３４…保護層
３６…光回折構造形成層
３７…ホログラムレリーフ
３８…光反射層
４０…レーザ発振器
４２…レーザビーム
４４…対物レンズ
【図１】
0004365997.tif 000002
【図２】
0004365997.tif 000003
【図３】
0004365997.tif 000004
【図４】
0004365997.tif 000005
【図５】
0004365997.tif 000006
【図６】
0004365997.tif 000007
【図７】
0004365997.tif 000008
【図８】
0004365997.tif 000009